(57)【特許請求の範囲】
【請求項１】
電路に異常が発生すると当該電路を遮断する回路遮断装置であって、
前記電路に挿入されて設けられた遮断器と、
前記電路についての複数の異常原因を個別に判断する異常判別部と、
前記複数の異常原因の少なくとも１つが前記異常判別部で判断された場合に前記遮断器の接点を引き外す引き外し用コイルと、
電力が供給されているときに前記異常判別部で判断された前記異常原因を表示する表示手段と、
前記表示手段への電力供給路に挿入され前記異常判別部で判断された前記異常原因を前記表示手段が表示するときにオンになるスイッチとを備え、
前記異常判別部は、当該異常判別部が判断した前記異常原因別に、前記スイッチをオンにして当該異常原因を前記表示手段に表示させるための表示用信号と、前記複数の異常原因の少なくとも１つを判断した場合に前記遮断器の接点を引き外すための引き外し用信号とを同一の信号として出力し、
前記スイッチは、オン状態を自己保持する自己保持機能を有し、前記表示用信号を受け取るとオンになり、
前記引き外し用コイルは、前記引き外し用信号に従って前記遮断器の接点を引き外す
ことを特徴とする回路遮断装置。
【請求項２】
電路に異常が発生すると当該電路を遮断する回路遮断装置であって、
前記電路に挿入されて設けられた遮断器と、
前記電路についての複数の異常原因を個別に判断する異常判別部と、
前記複数の異常原因の少なくとも１つが前記異常判別部で判断された場合に前記遮断器の接点を引き外す引き外し用コイルと、
電力が供給されているときに前記異常判別部で判断された前記異常原因を表示する表示手段と、
前記表示手段への電力供給路に挿入され前記異常判別部で判断された前記異常原因を前記表示手段が表示するときにオンになるスイッチと、
前記異常判別部と前記引き外し用コイルと当該異常判別部および当該引き外し用コイルが収納されている第１の筐体とを含む検出ユニットと、
前記表示手段と前記スイッチと当該表示手段および当該スイッチが収納されている第２の筐体とを含む表示ユニットとを備え、
前記スイッチは、オン状態を自己保持する自己保持機能を有し、
前記検出ユニットと前記表示ユニットとが別体に設けられており、
前記検出ユニットおよび前記表示ユニットは、他のユニットと接続するためのユニット間接続部をさらに含み、
前記表示ユニットは、前記表示手段として単一の表示部を含み、前記複数の異常原因と１対１に対応して複数設けられており、
前記検出ユニットは、複数の前記表示ユニットに電気的に接続されている
ことを特徴とする回路遮断装置。
【請求項３】
前記異常判別部は、当該異常判別部が判断した前記異常原因別に、前記スイッチをオンにして当該異常原因を前記表示手段に表示させるための表示用信号と、前記複数の異常原因の少なくとも１つを判断した場合に前記遮断器の接点を引き外すための引き外し用信号とを同一の信号として出力し、
前記スイッチは、前記表示用信号を受け取るとオンになり、
前記引き外し用コイルは、前記引き外し用信号に従って前記遮断器の接点を引き外す
ことを特徴とする請求項２記載の回路遮断装置。
【請求項４】
前記異常判別部は、当該異常判別部が判断した前記異常原因別に、前記スイッチをオンにして当該異常原因を前記表示手段に表示させるための表示用信号を前記スイッチに出力するとともに、前記複数の異常原因の少なくとも１つを判断した場合に前記遮断器の接点を引き外すための引き外し用信号を前記表示用信号とは別に出力し、
前記スイッチは、前記表示用信号を受け取るとオンになり、
前記引き外し用コイルは、前記引き外し用信号に従って前記遮断器の接点を引き外す
ことを特徴とする請求項２記載の回路遮断装置。
【請求項５】
前記異常判別部は、前記表示用信号を出力した後に前記引き外し用信号を出力することを特徴とする請求項４記載の回路遮断装置。
【請求項６】
前記スイッチは、サイリスタ、トライアックおよびラッチングリレーから選択されることを特徴とする請求項１，３〜５のいずれか１項に記載の回路遮断装置。
【請求項７】
前記表示用信号は、電流出力の信号であることを特徴とする請求項６記載の回路遮断装置。
【請求項８】
前記異常判別部と前記引き外し用コイルと当該異常判別部および当該引き外し用コイルが収納されている第１の筐体とを含む検出ユニットを備えるとともに、
前記表示手段と前記スイッチと当該表示手段および当該スイッチが収納されている第２の筐体とを含む表示ユニットを備え、
前記検出ユニットと前記表示ユニットとが別体に設けられており、
前記検出ユニットおよび前記表示ユニットは、他のユニットと接続するためのユニット間接続部をさらに含む
ことを特徴とする請求項１記載の回路遮断装置。
【請求項９】
前記表示ユニットは、前記表示手段として、前記複数の異常原因と１対１に対応して設けられた複数の表示部を含み、
前記スイッチは、前記複数の表示部と１対１に対応して複数設けられ、
前記複数の表示部の各々は、対応する前記スイッチがオンになると、対応する前記異常原因を表示する
ことを特徴とする請求項２または８記載の回路遮断装置。
【請求項１０】
前記表示ユニットは、前記表示手段として単一の表示部を含むとともに、前記表示部に表示させる前記異常原因を切り替える切替スイッチを含むことを特徴とする請求項２または８記載の回路遮断装置。
【請求項１１】
前記ユニット間接続部は、コネクタであることを特徴とする請求項２〜５，８〜１０のいずれか１項に記載の回路遮断装置。
【請求項１２】
前記異常判別部は、単一の集積回路で構成されていることを特徴とする請求項１〜１１のいずれか１項に記載の回路遮断装置。
【発明の詳細な説明】
【技術分野】
【０００１】
本発明は、電路に異常が発生すると上記電路を遮断する回路遮断装置に関する。
【背景技術】
【０００２】
特許文献１には、電路に異常が発生すると上記電路を遮断する従来の回路遮断装置が開示されている。特許文献１に記載された回路遮断装置は、交流電源と負荷との間の電路に漏電や欠相などの異常が発生した場合に、コイルを用いて上記電路を遮断し、さらに、異常原因を表示する。
【先行技術文献】
【特許文献】
【０００３】
【特許文献１】特許第３６８７５４３号公報
【発明の概要】
【発明が解決しようとする課題】
【０００４】
しかしながら、特許文献１に記載された従来の回路遮断装置は、異常原因ごとに異なるコイルを用いて電路の遮断（接点の引き外し）と異常原因の表示とを行っている。すなわち、上記回路遮断装置は、機械式による表示方式を採用している。このため、多くの異常原因を個別に表示し、かつ、電路を遮断しようとすると、異常原因の数だけコイルが必要となり、回路遮断装置が大型になる、という問題があった。
【０００５】
また、電子式による表示方式を採用した従来の回路遮断装置は、電路を遮断した後、異常原因を表示するためのスイッチのオン状態を保持するのに必要な電源が遮断されるため、異常原因を継続して表示することができなかった。
【０００６】
本発明は上記の点に鑑みて為された発明であり、本発明の目的は、小型でありながら、電路に異常が発生した場合に電路についての異常原因を個別かつ明確に表示することができる回路遮断装置を提供することにある。
【課題を解決するための手段】
【０００７】
本発明の回路遮断装置は、電路に異常が発生すると当該電路を遮断する回路遮断装置であって、前記電路に挿入されて設けられた遮断器と、前記電路についての複数の異常原因を個別に判断する異常判別部と、前記複数の異常原因の少なくとも１つが前記異常判別部で判断された場合に前記遮断器の接点を引き外す引き外し用コイルと、電力が供給されているときに前記異常判別部で判断された前記異常原因を表示する表示手段と、前記表示手段への電力供給路に挿入され前記異常判別部で判断された前記異常原因を前記表示手段が表示するときにオンになるスイッチとを備え、前記異常判別部は、当該異常判別部が判断した前記異常原因別に、前記スイッチをオンにして当該異常原因を前記表示手段に表示させるための表示用信号と、前記複数の異常原因の少なくとも１つを判断した場合に前記遮断器の接点を引き外すための引き外し用信号とを同一の信号として出力し、前記スイッチは、オン状態を自己保持する自己保持機能を有し、前記表示用信号を受け取るとオンになり、前記引き外し用コイルは、前記引き外し用信号に従って前記遮断器の接点を引き外すことを特徴とする。
本発明の回路遮断装置は、電路に異常が発生すると当該電路を遮断する回路遮断装置であって、前記電路に挿入されて設けられた遮断器と、前記電路についての複数の異常原因を個別に判断する異常判別部と、前記複数の異常原因の少なくとも１つが前記異常判別部で判断された場合に前記遮断器の接点を引き外す引き外し用コイルと、電力が供給されているときに前記異常判別部で判断された前記異常原因を表示する表示手段と、前記表示手段への電力供給路に挿入され前記異常判別部で判断された前記異常原因を前記表示手段が表示するときにオンになるスイッチと、前記異常判別部と前記引き外し用コイルと当該異常判別部および当該引き外し用コイルが収納されている第１の筐体とを含む検出ユニットと、前記表示手段と前記スイッチと当該表示手段および当該スイッチが収納されている第２の筐体とを含む表示ユニットとを備え、前記スイッチは、オン状態を自己保持する自己保持機能を有し、前記検出ユニットと前記表示ユニットとが別体に設けられており、前記検出ユニットおよび前記表示ユニットは、他のユニットと接続するためのユニット間接続部をさらに含み、前記表示ユニットは、前記表示手段として単一の表示部を含み、前記複数の異常原因と１対１に対応して複数設けられており、前記検出ユニットは、複数の前記表示ユニットに電気的に接続されていることを特徴とする。
【０００８】
この回路遮断装置において、前記異常判別部は、当該異常判別部が判断した前記異常原因別に、前記スイッチをオンにして当該異常原因を前記表示手段に表示させるための表示用信号と、前記複数の異常原因の少なくとも１つを判断した場合に前記遮断器の接点を引き外すための引き外し用信号とを同一の信号として出力し、前記スイッチは、前記表示用信号を受け取るとオンになり、前記引き外し用コイルは、前記引き外し用信号に従って前記遮断器の接点を引き外すことが好ましい。
【０００９】
この回路遮断装置において、前記異常判別部は、当該異常判別部が判断した前記異常原因別に、前記スイッチをオンにして当該異常原因を前記表示手段に表示させるための表示用信号を前記スイッチに出力するとともに、前記複数の異常原因の少なくとも１つを判断した場合に前記遮断器の接点を引き外すための引き外し用信号を前記表示用信号とは別に出力し、前記スイッチは、前記表示用信号を受け取るとオンになり、前記引き外し用コイルは、前記引き外し用信号に従って前記遮断器の接点を引き外すことが好ましい。
【００１０】
この回路遮断装置において、前記異常判別部は、前記表示用信号を出力した後に前記引き外し用信号を出力することが好ましい。
【００１１】
この回路遮断装置において、前記スイッチは、サイリスタ、トライアックおよびラッチングリレーから選択されることが好ましい。
【００１２】
この回路遮断装置において、前記表示用信号は、電流出力の信号であることが好ましい。
【００１３】
この回路遮断装置において、前記異常判別部と前記引き外し用コイルと当該異常判別部および当該引き外し用コイルが収納されている第１の筐体とを含む検出ユニットを備えるとともに、前記表示手段と前記スイッチと当該表示手段および当該スイッチが収納されている第２の筐体とを含む表示ユニットを備え、前記検出ユニットと前記表示ユニットとが別体に設けられており、前記検出ユニットおよび前記表示ユニットは、他のユニットと接続するためのユニット間接続部をさらに含むことが好ましい。
【００１４】
この回路遮断装置において、前記表示ユニットは、前記表示手段として、前記複数の異常原因と１対１に対応して設けられた複数の表示部を含み、前記スイッチは、前記複数の表示部と１対１に対応して複数設けられ、前記複数の表示部の各々は、対応する前記スイッチがオンになると、対応する前記異常原因を表示することが好ましい。
【００１５】
この回路遮断装置において、前記表示ユニットは、前記表示手段として単一の表示部を含むとともに、前記表示部に表示させる前記異常原因を切り替える切替スイッチを含むことが好ましい。
【００１７】
この回路遮断装置において、前記ユニット間接続部は、コネクタであることが好ましい。
【００１８】
この回路遮断装置において、前記異常判別部は、単一の集積回路で構成されていることが好ましい。
【発明の効果】
【００１９】
本発明では、小型でありながら、電路に異常が発生した場合に電路についての異常原因を個別かつ明確に表示することができる。
【図面の簡単な説明】
【００２０】
【図１】実施形態１に係る回路遮断装置の構成を示す概略図である。
【図２】実施形態２に係る回路遮断装置の構成を示す概略図である。
【図３】同上に係る回路遮断装置の動作説明図である。
【図４】実施形態３に係る回路遮断装置の構成を示す概略図である。
【図５】実施形態４に係る回路遮断装置の構成を示す概略図である。
【図６】実施形態５に係る回路遮断装置の構成を示す概略図である。
【発明を実施するための形態】
【００２１】
（実施形態１）
実施形態１に係る回路遮断装置１は、図１に示すように、交流電源９と負荷（図示せず）との間の電路９１に異常が発生すると電路９１を遮断する装置である。電路９１は、交流電源９から負荷（図示せず）への電力を供給するための３相の電力供給路である。回路遮断装置１は、電路９１に挿入されて設けられた遮断器２と、電路９１についての複数の異常原因を個別に判断する異常判別部３と、遮断器２の接点を引き外す引き外し用コイル４とを備えている。また、回路遮断装置１は、異常原因を表示する表示手段５と、異常原因を表示手段５が表示するときにオンになる複数（図示例では３個）のスイッチ６，６，６とを備えている。さらに、回路遮断装置１は、異常判別部３の電源となる判別用電源７１と、表示手段５の電源となる表示用電源７２とを備えている。
【００２２】
遮断器２は、交流電源９と負荷（図示せず）との間の電路９１に挿入されて設けられており、通常、接点を閉じているが、電路９１に異常が発生すると、引き外し用コイル４によって接点が引き離される。
【００２３】
異常判別部３は、複数の回路素子からなる回路または単一の集積回路で構成されており、電路９１に異常が発生した場合に、電路９１についての複数の異常原因を個別に判断する。異常原因を判断した異常判別部３は、判断した異常原因別に、表示用信号Ｓ１と引き外し用信号Ｓ２とを同一の信号として出力する。表示用信号Ｓ１は、スイッチ６をオンにして異常原因を表示手段５に表示させるための信号である。引き外し用信号Ｓ２は、複数の異常原因の少なくとも１つが発生した場合に遮断器２の接点を引き外すための信号である。本実施形態の表示用信号Ｓ１（引き外し用信号Ｓ２）は、電流出力の信号である。
【００２４】
例えば、異常判別部３は、漏電判別回路（図示せず）を備えており、電路９１に流れる電流を検出する変流器（図示せず）から検出結果を取得すると、この検出結果を用いて、漏電が発生したか否かを判断する。漏電が発生したと判断した場合、異常判別部３は、漏電の発生を漏電用表示部５１１に表示させるための漏電表示用信号Ｓ１１を漏電用スイッチ６１に出力する。
【００２５】
また、異常判別部３は、欠相判別回路（図示せず）を備えており、過電圧を検出することによって、電路９１の欠相が発生したか否かを判断する。欠相が発生したと判断した場合、異常判別部３は、欠相の発生を欠相用表示部５１２に表示させるための欠相表示用信号Ｓ１２を欠相用スイッチ６２に出力する。
【００２６】
なお、漏電および欠相を除く他の異常原因を判断した場合、異常判別部３は、他の異常の発生を他の異常用表示部５１３に表示させるための他の異常表示用信号Ｓ１３を他の異常用スイッチ６３に出力する。
【００２７】
引き外し用コイル４は、複数の異常原因の少なくとも１つが異常判別部３で判断された場合に、異常判別部３から出力された引き外し用信号Ｓ２に従って遮断器２の接点を引き外すように遮断器２を作動させる。本実施形態では、引き外し用信号Ｓ２を兼用する表示用信号Ｓ１に従って表示手段５のいずれかの表示部５１に電流が流れることによって、引き外し用コイル４に励磁電流が流れる。これにより、引き外し用コイル４は、遮断器２の接点を引き外す。
【００２８】
また、引き外し用コイル４は、電路９１に短絡電流や過負荷電流のような異常電流（過電流）が流れた場合、引き外し用信号Ｓ２が出力されたか否かにかかわらず、遮断器２の接点を引き外すように遮断器２を作動させる。
【００２９】
一方、電路９１に異常が発生していない正常時においては、異常判別部３から引き外し用信号Ｓ２が出力されず、引き外し用コイル４は励磁されないため、遮断器２の接点は閉じている。
【００３０】
表示手段５は、電力が供給されているときに異常判別部３で判断された異常原因を表示する。本実施形態の表示手段５は、表示用電源７２に対して互いに並列に接続された複数（図示例では３つ）の表示部５１，５１，５１を備えている。各表示部５１は、例えば表示灯であり、表示用電源７２から電力が供給されると、点灯したり、点滅したりする。
【００３１】
本実施形態の複数の表示部５１，５１，５１は、複数の異常原因と１対１に対応して設けられている。本実施形態では、表示手段５は、漏電に対応して漏電用表示部５１１を備え、欠相に対応して欠相用表示部５１２を備え、漏電および欠相を除く他の異常原因に対応して他の異常用表示部５１３を備えている。すなわち、各表示部５１は、対応するスイッチ６がオンになると、対応する異常原因を表示する。例えば、電路９１に漏電が発生した場合、漏電が発生した旨を漏電用表示部５１１が表示する。電路９１に欠相が発生した場合、欠相が発生した旨を欠相用表示部５１２が表示する。
【００３２】
複数のスイッチ６，６，６は、複数の表示部５１，５１，５１と１対１に対応して設けられている。各スイッチ６は、対応する表示部５１に直列に接続されており、異常判別部３から表示用信号Ｓ１を受け取るとオフからオンに切り替わる。すなわち、スイッチ６は、対応する表示部５１の電力供給路に挿入され、異常判別部３で判断された異常原因を、対応する表示部５１が表示するようにオンになる。
【００３３】
各スイッチ６は、オンにするための指示（表示用信号Ｓ１の出力）が停止した際に停止時点のオン状態を自己保持する自己保持機能を有している。すなわち、異常判別部３からの表示用信号Ｓ１の出力が停止しても、スイッチ６は、オン状態を自己保持する。このようなスイッチ６は、サイリスタ、トライアックおよびラッチングリレーから選択される。これにより、スイッチ６は、表示用信号Ｓ１を瞬間的に受け取ってオフからオンに切り替わった後、表示用信号Ｓ１を継続して受け取らなかったとしても、オン状態を保持することができる。
【００３４】
判別用電源７１は、交流電源９と異常判別部３との間に設けられている。この判別用電源７１は、例えば電力変換部（図示せず）を備えており、交流電源９からの電力を変換し、異常判別部３を動作させるための電力を異常判別部３に供給する。表示用電源７２は、各表示部５１に異常原因を表示させるための電力を供給する。表示用電源７２は、蓄電池（図示せず）を備えており、例えば電路９１が正常であるときに交流電源９からの電力によって蓄電池を充電する。
【００３５】
次に、本実施形態に係る回路遮断装置１の動作について図１を用いて説明する。まず、異常判別部３が電路９１の異常を検出して異常原因を判断する。その後、異常判別部３は、判断した異常原因に対応する表示用信号Ｓ１（引き外し用信号Ｓ２）を、対応するスイッチ６に出力する。上記異常原因に対応するスイッチ６は、異常判別部３から表示用信号Ｓ１を受け取ると、オフからオンに切り替わる。その後、上記スイッチ６に直列に接続されている表示部５１が点灯して異常原因を表示する。さらに、表示部５１に電流が流れたことによって、引き外し用コイル４に励磁電流が流れ、引き外し用コイル４が遮断器２の接点を引き外して電路９１を遮断する。
【００３６】
以上説明した本実施形態の回路遮断装置１では、電路９１についての異常原因を表示手段５に表示させるためのスイッチ６が自己保持機能を有する。これにより、電路９１に異常が発生した場合に、電路９１を遮断した後、スイッチ６をオンにするための指示（表示用信号Ｓ１の出力）が停止しても、スイッチ６がオン状態を自己保持することができる。その結果、電路９１についての異常原因を個別かつ明確に表示することができる。
【００３７】
この際に、本実施形態の回路遮断装置１は、複数の異常原因に対して引き外し用コイル４を兼用しているので、異常原因ごとに異なる引き外し用コイルを備える場合よりも、小型にすることができる。
【００３８】
また、本実施形態の回路遮断装置１では、表示用信号Ｓ１と引き外し用信号Ｓ２とが同一である。これにより、表示用信号Ｓ１と引き外し用信号Ｓ２とが別個である場合よりも、これらの信号を出力する際の消費電流を抑制することができ、最大消費電力を低減することができる。
【００３９】
さらに、本実施形態の回路遮断装置１では、表示用信号Ｓ１が電流出力の信号であることによって、表示用信号Ｓ１が電圧出力の信号である場合よりも、電圧についての耐ノイズ性を向上させることができ、かつ、スイッチ６を直接駆動することができる。これにより、部品点数を削減することができる。
【００４０】
また、本実施形態の回路遮断装置１では、異常判別部３を集積回路化することによって、低消費化、小型化および低コスト化を図ることができる。
【００４１】
（実施形態２）
実施形態２に係る回路遮断装置１は、図２に示すように、異常判別部３から表示用信号Ｓ１と引き外し用信号Ｓ２とを個別に出力する点で、実施形態１に係る回路遮断装置１（図１参照）と相違する。なお、実施形態１の回路遮断装置１と同様の構成要素については、同一の符号を付して説明を省略する。
【００４２】
本実施形態の回路遮断装置１は、図２に示すように、引き外し用スイッチ４１をさらに備えている。
【００４３】
引き外し用スイッチ４１は、交流電源９に対して引き外し用コイル４に直列に接続されている。引き外し用スイッチ４１は、異常判別部３から出力された引き外し用信号Ｓ２によって動作する。
【００４４】
この引き外し用スイッチ４１は、オンにするための指示（引き外し用信号Ｓ２の出力）が停止した際に停止時点のオン状態を自己保持する自己保持機能を有している。すなわち、異常判別部３からの引き外し用信号Ｓ２の出力が停止しても、引き外し用スイッチ４１は、オン状態を自己保持する。このような引き外し用スイッチ４１は、サイリスタ、トライアックおよびラッチングリレーから選択される。これにより、引き外し用スイッチ４１は、引き外し用信号Ｓ２を受け取ってオフからオンに切り替わった後、引き外し用信号Ｓ２を継続して受け取らなかったとしても、オン状態を保持することができる。
【００４５】
本実施形態の異常判別部３は、電路９１についての異常原因を判断した場合に、判断した異常原因に対応する表示用信号Ｓ１をスイッチ６に出力するとともに、引き外し用信号Ｓ２を表示用信号Ｓ１とは別に引き外し用スイッチ４１に出力する。異常判別部３は、いかなる異常原因の場合であっても、引き外し用信号Ｓ２を引き外し用スイッチ４１に出力する。なお、実施形態１の異常判別部３（図１参照）と同様の機能については説明を省略する。
【００４６】
本実施形態の引き外し用コイル４は、引き外し用スイッチ４１が引き外し用信号Ｓ２を受け取ってオフからオンに切り替わると、励磁電流が流れて、遮断器２の接点を引き外す。なお、実施形態１の引き外し用コイル４（図１参照）と同様の機能については説明を省略する。
【００４７】
ところで、本実施形態の異常判別部３は、図３に示すように、時刻ｔ１で電路９１に異常が発生した場合、異常判別部３は、電路９１の異常を検出して異常原因を判断し、上記異常原因に対応する表示用信号Ｓ１を瞬間的にスイッチ６に出力する。表示用信号を出力した後（時刻ｔ２）に、異常判別部３は、表示用信号Ｓ１の出力を停止して、引き外し用スイッチ４１に引き外し用信号Ｓ２を引き外し用スイッチ４１に出力する。
【００４８】
次に、本実施形態に係る回路遮断装置１の動作について図２，３を用いて説明する。時刻ｔ１において電路９１に異常が発生すると、まず、異常判別部３は、電路９１の異常を検出して異常原因を判断し、上記異常原因に対応する表示用信号Ｓ１を、上記異常原因に対応するスイッチ６に出力する。上記異常原因に対応するスイッチ６は、異常判別部３から表示用信号Ｓ１を受け取ると、オフからオンに切り替わる。これにより、上記スイッチ６に直列に接続されている表示部５１が点灯して異常原因を表示する。その後、時刻ｔ２において、異常判別部３は、引き外し用スイッチ４１に引き外し用信号Ｓ２を出力する。引き外し用スイッチ４１は、引き外し用信号Ｓ２を受け取ると、オフからオンに切り替わる。これにより、引き外し用コイル４は、励磁し、遮断器２の接点を引き外して電路９１を遮断する。
【００４９】
以上説明した本実施形態の回路遮断装置１では、異常判別部３が表示用信号Ｓ１と引き外し用信号Ｓ２とを個別に出力することによって、スイッチ６の低容量化を図ることができる。
【００５０】
また、本実施形態の回路遮断装置１では、異常判別部３が表示用信号Ｓ１と引き外し用信号Ｓ２とを同時に出力しないので、表示用信号Ｓ１と引き外し用信号Ｓ２とを同時に出力する場合よりも、最大消費電力を低減することができる。
【００５１】
（実施形態３）
実施形態３に係る回路遮断装置１は、図４に示すように、複数のユニット８１，８２から構成されている点で、実施形態１に係る回路遮断装置１（図１参照）と相違する。なお、実施形態１の回路遮断装置１と同様の構成要素については、同一の符号を付して説明を省略する。
【００５２】
本実施形態の回路遮断装置１は、図４に示すように、検出ユニット８１と、表示ユニット８２とを別体に備えている。
【００５３】
検出ユニット８１は、異常判別部３と、引き外し用コイル４と、異常判別部３および引き外し用コイル４が収納されている第１の筐体（図示せず）と、他のユニットと接続するためのユニット間接続部（検出ユニット側接続部）８３とを備えている。すなわち、検出ユニット８１は、表示ユニット８２と接続するためにユニット間接続部８３を備えている。なお、本実施形態の異常判別部３は、実施形態１の異常判別部３（図１参照）と同様の機能を有し、本実施形態の引き外し用コイル４は、実施形態１の引き外し用コイル４（図１参照）と同様の機能を有している。
【００５４】
ユニット間接続部８３は、複数（図示例では３個）の端子８３１〜８３３を有するコネクタである。ユニット間接続部８３は、後述のユニット間接続部８４とケーブル８５で接続されている。端子８３１は、漏電表示用信号Ｓ１１を検出ユニット８１から表示ユニット８２へ出力するために用いられる端子である。端子８３２は、欠相表示用信号Ｓ１２を検出ユニット８１から表示ユニット８２へ出力するために用いられる端子である。端子８３３は、他の異常表示用信号Ｓ１３を検出ユニット８１から表示ユニット８２へ出力するために用いられる端子である。
【００５５】
表示ユニット８２は、表示手段５と、複数（図示例では３個）のスイッチ６，６，６と、表示手段５および各スイッチ６が収納されている第２の筐体（図示せず）とを備えている。本実施形態においても、実施形態１と同様に、表示手段５は、複数の異常原因と１対１に対応して設けられた複数（図示例では３つ）の表示部５１，５１，５１を備えており、複数（図示例では３つ）のスイッチ６，６，６は、複数の表示部５１，５１，５１と１対１に対応して設けられている。また、表示ユニット８２は、他のユニットと接続するためのユニット間接続部（表示ユニット側接続部）８４を備えている。すなわち、表示ユニット８２は、検出ユニット８１と接続するためにユニット間接続部８４を備えている。なお、本実施形態の表示手段５は、実施形態１の表示手段５（図１参照）と同様の機能を有し、本実施形態の各スイッチ６は、実施形態１の各スイッチ６（図１参照）と同様の機能を有している。
【００５６】
ユニット間接続部８４は、複数（図示例では３個）の端子８４１〜８４３を有するコネクタである。端子８４１は、漏電表示用信号Ｓ１１を検出ユニット８１から受け取るために用いられる端子である。端子８４２は、欠相表示用信号Ｓ１２を検出ユニット８１から受け取るために用いられる端子である。端子８４３は、他の異常表示用信号Ｓ１３を検出ユニット８１から受け取るために用いられる端子である。
【００５７】
以上説明した本実施形態の回路遮断装置１では、検出ユニット８１と表示ユニット８２とを別体に備え、引き外し機能と表示機能とを個別にユニット化することによって、全体構成の自由度を高めることができ、さらに、例えば小型化を図ることができる。
【００５８】
また、本実施形態の回路遮断装置１では、ユニット同士がコネクタで電気的に接続されていることによって、ユニット同士の着脱を容易に行うことができる。
【００５９】
（実施形態４）
実施形態４に係る回路遮断装置１は、図５に示すように、表示ユニット８２に切替スイッチ８６を備えている点で、実施形態３に係る回路遮断装置１（図４参照）と相違する。なお、実施形態３の回路遮断装置１と同様の構成要素については、同一の符号を付して説明を省略する。
【００６０】
本実施形態の表示ユニット８２は、表示手段５として単一の表示部５１を備えている。また、表示ユニット８２は、単一のスイッチ６と、表示部５１に表示させる異常原因を切り替える切替スイッチ８６とを備えている。なお、実施形態３の表示ユニット８２（図４参照）と同様の機能については説明を省略する。また、ユニット間接続部８３，８４は、実施形態３と同様に、コネクタである。
【００６１】
切替スイッチ８６は、ユニット間接続部８４とスイッチ６との間に設けられており、ユニット間接続部８４のいずれかの接点とスイッチ６とが導通するように切り替えることができる。すなわち、ユーザは、切替スイッチ８６を用いて、いずれの異常原因の場合に、異常原因を単一の表示部５１に表示させたり、電路９１（図１参照）を遮断したりするのかを選択することができる。
【００６２】
以上説明した本実施形態の回路遮断装置１では、表示させたい異常原因を切替スイッチ８６で切り替えることができるので、単一の表示部５１でありながら、ユーザの要求に応じた機能に容易に切り替えることができる。
【００６３】
また、本実施形態の回路遮断装置１においても、実施形態３と同様に、ユニット同士がコネクタで電気的に接続されていることによって、ユニット同士の着脱を容易に行うことができる。
【００６４】
（実施形態５）
実施形態５に係る回路遮断装置１は、図６に示すように、検出ユニット８１に複数（図示例では３台）の表示ユニット８２，８２，８２が連結されている点で、実施形態３に係る回路遮断装置１（図４参照）と相違する。なお、実施形態３の回路遮断装置１と同様の構成要素については、同一の符号を付して説明を省略する。
【００６５】
本実施形態の検出ユニット８１は、複数の表示ユニット８２，８２，８２に電気的に接続されている。なお、実施形態３の検出ユニット８１（図４参照）と同様の機能については説明を省略する。
【００６６】
本実施形態の複数の表示ユニット８２，８２，８２は、複数の異常原因と１対１に対応して設けられている。各表示ユニット８２は、表示手段５として単一の表示部５１を備えているとともに、単一のスイッチ６と、ユニット間接続部８４とを備えている。また、各表示ユニット８２は、他の表示ユニット８２と接続するためのユニット間接続部８７をさらに備えている。なお、実施形態３の表示ユニット８２（図４参照）と同様の機能については説明を省略する。
【００６７】
本実施形態のユニット間接続部８３は、実施形態３のユニット間接続部８３（図４参照）と同様に、複数（図示例では３個）の端子８３１〜８３３を有するコネクタである。端子８３１は、漏電表示用信号Ｓ１１を検出ユニット８１から表示ユニット８２へ出力するために用いられる端子である。端子８３２は、欠相表示用信号Ｓ１２を検出ユニット８１から表示ユニット８２へ出力するために用いられる端子である。端子８３３は、他の異常表示用信号Ｓ１３を検出ユニット８１から表示ユニット８２へ出力するために用いられる端子である。
【００６８】
本実施形態のユニット間接続部８４は、実施形態３のユニット間接続部８４（図４参照）と同様に、複数（図示例では３個）の端子８４１〜８４３を有するコネクタである。ただし、本実施形態の端子８４１は、自己のスイッチ６のための表示用信号Ｓ１を受け取るために用いられる端子であり、本実施形態の端子８４２，８４３は、他の表示ユニット８２のスイッチ６のための表示用信号Ｓ１を受け取るために用いられる端子である。
【００６９】
ユニット間接続部８７は、複数（図示例では２個）の端子８７１，８７２を有するコネクタである。ユニット間接続部８７は、他の表示ユニット８２のユニット間接続部８４とケーブル８５で接続されている。端子８７１，８７２は、表示用信号Ｓ１を他の表示ユニット８２へ出力するために用いられる端子である。すなわち、ユニット間接続部８７の端子８７１，８７２は、ユニット間接続部８４の端子８４２，８４３で受け取った表示用信号Ｓ１を他の表示ユニット８２へ出力するために用いられる。
【００７０】
以上説明した本実施形態の回路遮断装置１では、表示ユニット８２の数を自由に変更することができるので、ユーザの要望に応じて必要な分だけ異常原因を表示することができる。
【００７１】
また、本実施形態の複数の表示ユニット８２，８２，８２は、同一の構成を有しているので、相互に入れ替えることができ、さらに、例えば故障した場合に容易に交換することができる。
【００７２】
さらに、本実施形態の回路遮断装置１においても、実施形態３と同様に、ユニット同士がコネクタで電気的に接続されていることによって、ユニット同士の着脱を容易に行うことができる。
【符号の説明】
【００７３】
１  回路遮断装置
２  遮断器
３  異常判別部
４  引き外し用コイル
５  表示手段
５１  表示部
６  スイッチ
８１  検出ユニット
８２  表示ユニット
８３  ユニット間接続部
８４  ユニット間接続部
８６  切替スイッチ
８７  ユニット間接続部
９１  電路
【図１】
0005857268.tif 000002
【図２】
0005857268.tif 000003
【図３】
0005857268.tif 000004
【図４】
0005857268.tif 000005
【図５】
0005857268.tif 000006
【図６】
0005857268.tif 000007